(57)【要約】【課題】尾栓とケーブルガイドの絶縁性を得るための組立作業性を向上させ、かつケーブルガイドの抜け止め強度及び回り止め強度を満足させる。【解決手段】内側円周上に複数の突起があり、かつ軸方向に複数の切り欠きを設けたリングをケーブルガイドに挿入しそれを尾栓内部に圧入する。【選択図】    図２
2004185153.tif 000002
【特許請求の範囲】
【請求項１】
座標を検出する信号検出ペンにおいて、該信号検出ペン外筒内部に設けられているチャック部を介して遮蔽軸に挿入されている信号検出用の検出軸を、回転自在にする為に、前記遮蔽軸と信号伝達用スプリングの間に、導電性を有するリングを設けたことを特徴とする信号検出ペン。
【請求項２】
前記遮蔽軸と信号伝達用スプリングの間に、導電性を有する互いに分割した部材を設け、該分割した部材がそれぞれ回転可能なことを特徴とする請求項１記載の信号検出ペン。
【発明の詳細な説明】
【０００１】
【発明の属する技術分野】
本発明はタブレット入力装置に使用する座標検出ペンであって、座標検出ペンの内部に設けられている遮蔽軸のチャック部に、挿入された座標検出軸が自在に回転できるように、座標検出ペン内に設けられた遮蔽軸と信号伝達用スプリングの間に、導電性のリングを設けた信号検出ペンに関するものである。
【０００２】
【従来の技術】
従来の座標検出ペンの検出軸は、座標検出ペン内部に設けられた遮蔽軸のチャック部に圧入されて、座標検出軸の交換時には所定の力を加えることにより、座標検出軸はチャック部から引き抜かれる。このチャック部は前記、遮蔽軸と一体となっており、また、遮蔽軸には座標入力装置から電気信号を、座標検出ペン内部の電子回路基板に送るため信号伝達用スプリングが圧入されている。この信号伝達用スプリングの他方端部は電子回路基板に接続されている。座標検出ペンの検出軸の先端はタブレットからの信号を検出する為に、座標検出ペンの外筒から一部が露出しており、先端には樹脂がモールドされている。検出軸の交換は、ペンタッチおよび筆記等により先端樹脂部が摩耗して内部金属軸が露出してタブレット盤面を傷つけるとき、またはハードな扱いにより破損したときに検出軸のみを引き抜き交換するものである。
【特許文献】
特許登録出願２００１−１６３９０４号
【０００３】
【発明が解決しようとする課題】
しかし、上記したように検出軸交換時に、検出軸を回転させたり、あるいは座標検出ペンを使用中に使用者により、故意に検出軸を回されることがある。このとき検出軸が圧入されているスリ割りの入ったチャック部は、遮蔽軸と一体である。このため、検出軸が回されるとスリ割りの入ったチャック部で検出軸はスリップせず、チャック部と一体となった遮蔽軸と一緒に回り、遮蔽軸に圧入されている信号用スプリングも一緒に回される。このとき信号用スプリングの座巻き端面は、信号用スプリングの巻き方向と逆方向に回された時、信号用スプリング端面の線材切り口は、逃げる方向に働くので遮蔽軸との間でスリップする。しかし信号用スプリングの巻き方向と、同じ方向に回されたときは信号用スプリング端面座巻き部分の線材切り口は、遮蔽軸に食い込む方向に働きその結果、当初の信号用スプリング形状を復元できないぐらいに変形させてしまうことがある。変形した信号用スプリングが遮蔽軸とホルダーとの隙間に入り込み遮蔽軸が動かなくなり、入力ペン本体に設けられているスイッチのＯＮ／ＯＦＦ動作ができなくなるという不具合が発生する。また、信号用スプリングの座巻き部端面を研削して遮蔽軸との引っかかりをなくすようにしても、信号用スプリングのバネ力により遮蔽軸との引っかかりに対する改善は望めなっかった。
【０００４】
【課題を解決するための手段】
本発明は従来の問題点に鑑みなされたもので、特に遮蔽軸のチャック部に挿入された検出軸が自在に回転できるように遮蔽軸と信号用スプリングの間に導電性の管を設けた信号検出ペンを提案するものである。
【０００５】
【作用】
本発明では、遮蔽軸の外周にリングが有り、このリングが遮蔽軸とわずかな隙間により遮蔽軸のみが回転できるようになり、座標検出軸が回転自在となる。また、リングに導電性の材料を使用することにより、信号伝達用スプリングはリングに圧入するだけで電気的な接続ができ、リングに保持され信号伝達用スプリングのバネ力によりリングの端面は遮蔽軸の段地部に押しつけられ遮蔽軸とも電気的に接続がなされ、タブレットからの電気信号を確実に信号検出ペン内に設けられている電子回路基板に送ることができるものである。
【０００６】
【発明の実施の形態】
信号検出ペンの遮蔽軸と、信号伝達用スプリングとの間にリングを介在させることにより、検出軸を回転させても信号伝達用スプリングが変形すること無く、検出軸を回転自在にするものである。
【０００７】
【実施例】
本発明の詳細を添付図面に基いて説明する。図１は本発明の一例である座標検出装置と、座標検出装置用の座標検出用ペンの構成図である。参照符号１は座標検出装置に使用される信号検出（座標指示）ペンであり、座標入力を行うには、信号検出ペン１の先端がタブレット２の盤面上を当接することにより、タブレット２内の各電極線と信号検出ペン１の座標検出軸２１の導体（図示せず）部分が容量結合し、タブレット２内の各電極線から伝わる各電気信号を、信号処理部３で処理することで、信号検出ペン１先端のタブレット２盤面上の座標を検出する。座標検出の詳細は、各文献を参照されたい。
【０００８】
次に本発明の信号検出ペン１のホルダー内部遮蔽軸周りの構造について説明する。
ホルダー部４の中には金属で形成されている遮蔽軸５が摺動できるように保持されている。遮蔽軸５の片端面にはスリ割りの入ったチャック６が形成されており、座標検出軸２１が差し込めるようになっている。また、他方片端面は先端径が小さくなっておりペンスイッチを受け持つフォトインタラプタンのシャッターの役目を持っている。その遮蔽軸５には、ペンスイッチ荷重を付勢させるための信号用スプリング７が圧入されている。この信号用スプリング７はタブレット２からの信号を電気回路基板に送る役目も持っている。
【０００９】
遮蔽軸５に取り付けられているリング８は遮蔽軸５との間に微少な隙間を持って挿入されており、遮蔽軸５に対し自由に回転できるものである。また、リング８には信号伝達用スプリング５が前記リング８の端面から若干離れて圧入されている。今、座標検出軸２１を回転された場合、座標検出軸２１が挿入されているチャック６と一体になっている遮蔽軸５が回転する。遮蔽軸５との隙間を持ったリング８により座標検出軸２１がどちらの方向に回されてもリング８に圧入されている信号伝達用スプリング７はその影響を受けず変形することがない。
図３は第２の実施例で、リング８の端面にＲ状の絞りを入れて信号伝達用スプリング７の座巻き端面が直接遮蔽軸５の段地部９に接触することを防止する役目を持たせたものである。
図４は第３の実施例であり、信号伝達用スプリング７の座巻き端面が、直接遮蔽軸５段地部に接触しないようにする別な方法で平座金のような平板なリング９を、スプリング座巻き端面と遮蔽軸５段地部１０の間に介在させるものである。このリングは遮蔽軸とは自由に回転できるように隙間を持って遮蔽軸に挿入されている。このときスプリングは遮蔽軸に圧入されていてもいなくともこのリングがあるのでスプリングに変形する力が働かないものである。
図５は第４の実施例で、遮蔽軸５自体を上下に分割したもので分割されたもの同士が自由に回転できるようにしたものである。
【００１０】
【発明の効果】
本発明の信号検出ペンは、遮蔽軸と信号伝達用スプリングの間にリングを設けたので、信号検出軸をどの方向に回転させても、弾撥機能を失うこと無く機能するものである。
【図面の簡単な説明】
【図１】容量結合式座標検出装置の構成図
【図２】本発明の要部断面図
【図３】本発明の抜け止めリングの縦断面図
【図４】他の実施例の抜け止めリングの縦断面図
【図５】他の実施例の抜け止めリングの縦断面図
【符号の説明】
１    信号検出ペン
２    タブレット（座標盤）
３    尾栓
４    抜け止めリング
５    樹脂チューブ
６    螺旋管
７    信号ケーブル
８    テーパー部
９    樹脂シート
１０    リブ
１１    突起
１２    傾斜
１３    エッヂ
１４    エッヂ
１５    穴
１６    小ねじ
１７    樹脂シート
１８    接着剤
１９    ゲーブルガイド
２０    ペンゴム
２１    座標検出軸
【図１】
2004185153.tif 000003
【図２】
2004185153.tif 000004
【図３】
2004185153.tif 000005
【図４】
2004185153.tif 000006
【図５】
2004185153.tif 000007